(57)【要約】      （修正有）【課題】結露水によるヒートポンプの腐食や接触不良などの故障を防止し、長期的な信頼性が高く、熱接続性能を低下させることがなく、優れた放熱効率を有する熱交換器を提供する。【解決手段】金属板材３および前記金属板材の一方の面に熱的に接続された複数の放熱フィン４からなる放熱部材２と、放熱部材の金属板材３の他方の面に、一方の面が熱的に接続されるヒートポンプと、ヒートポンプの他方の面に熱的に接続される別の金属板材９と、内周縁部および外周縁部を備えた、中抜きのシート状の防水・防湿部材６を備えた熱交換器。防水・防湿部材の内周縁部が金属板材の外周縁部に接合され、防水・防湿部材の外周縁部が別の金属板材に接合されて、ヒートポンプを外気から遮断する。【選択図】図１
2009206114.tif 000002
【特許請求の範囲】
【請求項１】
金属板材および前記金属板材の一方の面に熱的に接続された複数の放熱フィンからなる放熱部材と、
前記放熱部材の前記金属板材の他方の面に、一方の面が熱的に接続されるヒートポンプと、
前記ヒートポンプの他方の面に熱的に接続される別の金属板材と、
内周縁部および外周縁部を備えた、中抜きのシート状の防水・防湿部材であって、前記防水・防湿部材の内周縁部が前記金属板材の外周縁部に接合され、前記防水・防湿部材の外周縁部が前記別の金属板材に接合されて、前記ヒートポンプを外気から遮断する防水・防湿部材とを備えた熱交換器。
【請求項２】
第１の金属板材および前記第１の金属板材の一方の面に熱的に接続された複数の第１の放熱フィンからなる第１の放熱部材と、
前記第１の金属板材の他方の面に、一方の面が熱的に接続されるヒートポンプと、
第２の金属板材および前記第２の金属板材の一方の面に熱的に接続された複数の第２の放熱フィンからなり、前記ヒートポンプの他方の面に熱的に接続される第２の放熱部材と、
内周縁部および外周縁部を有し、中抜きのシート状の第１の防水・防湿部材及び第２の防水・防湿部材とを備え、
前記第１の防水・防湿部材の内周縁部が前記第１の金属板材の外周縁部に接合され、前記第２の防水・防湿部材の内周縁部が前記第２の金属板材の外周縁部に接合され、前記第１の防水・防湿部材の外周縁部及び前記第２の防水・防湿部材の外周縁部が相互に接合されて、前記ヒートポンプを外気から遮断する熱交換器。
【請求項３】
前記シート状の防水・防湿部材は、少なくとも一層の高分子樹脂フィルムからなっている、請求項１または２に記載の熱交換器。
【請求項４】
前記シート状の防水・防湿部材は、中央部がくりぬかれた、概ね一定幅の矩形状である、請求項１から３の何れか１項に記載の熱交換器。
【請求項５】
前記シート状の防水・防湿部材は、水蒸気透過率が５ｇ／ｍ２・２４ｈｒ以下である、請求項１から４の何れか１項に記載の熱交換器。
【請求項６】
前記シート状の防水・防湿部材は、ヒートシールまたは接着剤による接着によって接合される、請求項１から５の何れか１項に記載の熱交換器。
【請求項７】
前記第１の放熱部材が内部に位置し、前記第２の放熱部材が外部に位置するように筐体に取り付けられた、請求項２に記載の熱交換器。
【発明の詳細な説明】
【技術分野】
【０００１】
本発明は、熱交換器に関し、特に、使用するヒートポンプを外気から遮断する熱交換器に関する。
【背景技術】
【０００２】
従来、ヒートポンプを用いた熱交換器が使用されている。物質が液体から気体に変化するとき、気体に変化する物質は周囲から熱を奪う。その周囲の物体は熱を奪われて冷却される。これと逆に、物質が気体から液体へ変化するとき、液体に変化する物質は周囲へ放熱する。その周囲の物体は熱を与えられて加熱される。ヒートポンプは、この仕組みを利用して、大気中の熱を圧縮機を利用して効率よく汲み上げ、移動することによって冷却や加熱を行うシステムである。
【０００３】
ヒートポンプを用いた熱交換器において、結露水によるヒートポンプの腐食や接触不良などの故障を防止するため、防水、防湿の方法として、シリコンやエポキシなどの材料のパッキン、充填剤が用いられていた（特許文献１参照）。
【０００４】
その他、パッキンを用いる防水、防湿方法が開示されている（特許文献２参照）。更に、サーモモジュールに防湿対策をする方法が開示されている（特許文献３、特許文献４参照）。図１１は、従来の熱交換器を示す模式図である。図１１（ａ）は、ヒートポンプの側面の全周にわたって充填剤１０１を埋め込んで防水、防湿対策をしている。図１１（ｂ）は、ヒートポンプの側面の全周にわたってパッキンまたはＯリング１０２を設けて防水、防湿対策をしている。
【０００５】
サーモモジュールは、ヒートポンプの一種で、一般にｐ型の熱電半導体素子とｎ型の熱電半導体素子を金属電極により直列に接続し、ｐｎ接合対を形成することにより作成される。熱電素子は、ｐｎ接合対に電流を流すことにより、接合部の一方で冷却、他方の接合部では発熱を発生するペルチェ効果と、接合対の間に温度差を与えることにより電力を発生するゼーベック効果があり、冷却装置又は発電装置として利用される。
【特許文献１】特開平１３−１４４３３７号公報
【特許文献２】特許第３４６７２９７号公報
【特許文献３】特開平０６−２９４５６２号公報
【特許文献４】特開平１４−１１１０８２号公報
【発明の開示】
【発明が解決しようとする課題】
【０００６】
特許文献１に開示されたシリコンやエポキシなどの材料は、水蒸気透過率は低いものではなく、長期的な信頼性が十分でなかった。さらに、これらの充填剤は、立体的な凸凹や隙間に充填されるため、製造工程において気泡の巻き込みや充填不十分な要因から防水、防湿性能を低下させることがあった。また、材質によっては、環境や温度により収縮や膨張があり、歪みによる熱接続性能を低下させることもある。
【０００７】
特許文献２に開示された方法では、ヒートシンクのベース面にネジ穴、パッキン溝などの加工を施す必要もあるほか十分な剛体であることが必要なため、コストアップや性能を低下させることもある。例えば、ヒートポンプとしてサーモモジュールを用いた熱交換器の場合、サーモモジュールの吸放熱面と熱接続材を介して接するヒートシンクのベースが熱により膨張、収縮するため、ネジなどで固定されている場合に応力が緩和されずヒートシンクの変形や歪みによる熱接続性能を低下させ、さらにはサーモモジュールの破損の原因になる。
特許文献３および特許文献４に開示された方法では、熱抵抗を増加させるばかりか、戻り熱の影響により性能を悪化させるという問題がある。
【０００８】
本発明の目的は、上述した従来の問題点に鑑みてなされたものであり、結露水によるヒートポンプの腐食や接触不良などの故障を防止し、長期的な信頼性が高く、熱接続性能を低下させることがなく、優れた放熱効率を有する熱交換器を提供することにある。
【課題を解決するための手段】
【０００９】
発明者は、上述した問題点を解決するために鋭意研究を重ねた。その結果、内周縁部および外周縁部を備えた、中抜きのシート状の防水・防湿部材を使用して、ヒートポンプの１つの面と接している放熱部材に内周縁部を接合し、ヒートポンプの他の面と接している別の金属板材に外周縁部を接合して、ヒートポンプを外気から遮断すると、シート状の防水・防湿部材は、水蒸気透過率が低いので、長期的な防湿効果が得られることが判明した。
【００１０】
２つの放熱部材でヒートポンプを挟み込んで形成する熱交換器においても、内周縁部および外周縁部を備えた、中抜きのシート状の防水・防湿部材を２枚使用して、ヒートポンプと接しているそれぞれの放熱部材に内周縁部を接合し、外周縁部同士を接合して、ヒートポンプを外気から遮断すると、シート状の防水・防湿部材は、水蒸気透過率が低いので、長期的な防湿効果が得られることが判明した。
【００１１】
更に、水蒸気透過率が低いフィルム状の防水・防湿部材を使用するので、素材の膨張、収縮がヒートシンクや熱交換器に与える応力が発生しない、更に、ヒートシール等によって封止することができるので、作業が容易でガスの発生もないことが判明した。この発明は上述した研究結果に基きなされたものである。
【００１２】
この発明の熱交換器の第１の態様は、金属板材および前記金属板材の一方の面に熱的に接続された複数の放熱フィンからなる放熱部材と、前記放熱部材の前記金属板材の他方の面に、一方の面が熱的に接続されるヒートポンプと、
前記ヒートポンプの他方の面に熱的に接続される別の金属板材と、
内周縁部および外周縁部を備えた、中抜きのシート状の防水・防湿部材であって、前記防水・防湿部材の内周縁部が前記金属板材の外周縁部に接合され、前記防水・防湿部材の外周縁部が前記別の金属板材に接合されて、前記ヒートポンプを外気から遮断する防水・防湿部材とを備えた熱交換器である。
【００１３】
この発明の熱交換器の第２の態様は、第1の金属板材および前記第１の金属板材の一方の面に熱的に接続された複数の第１の放熱フィンからなる第１の放熱部材と、
前記第１の金属板材の他方の面に、一方の面が熱的に接続されるヒートポンプと、
第２の金属板材および前記第２の金属板材の一方の面に熱的に接続された複数の第２の放熱フィンからなり、前記ヒートポンプの他方の面に熱的に接続される第２の放熱部材と、
内周縁部および外周縁部を有し、中抜きのシート状の第１の防水・防湿部材及び第２の防水・防湿部材とを備え、
前記第１の防水・防湿部材の内周縁部が前記第１の金属板材の外周縁部に接合され、前記第２の防水・防湿部材の内周縁部が前記第２の金属板材の外周縁部に接合され、前記第１の防水・防湿部材の外周縁部及び前記第２の防水・防湿部材の外周縁部が相互に接合されて、前記ヒートポンプを外気から遮断する熱交換器である。
【００１４】
この発明の熱交換器の第３の態様は、前記シート状の防水・防湿部材は、少なくとも一層の高分子樹脂フィルムからなっている、熱交換器である。
【００１５】
この発明の熱交換器の第４の態様は、前記シート状の防水・防湿部材は、高分子樹脂フィルムと高分子樹脂以外の異種材料との多層膜からなる、熱交換器である。
【００１６】
この発明の熱交換器の第５の態様は、前記シート状の防水・防湿部材は、中央部がくりぬかれた、概ね同一幅の矩形状である、熱交換器である。
【００１７】
この発明の熱交換器の第６の態様は、前記シート状の防水・防湿部材は、水蒸気透過率が５ｇ／ｍ２・２４ｈｒ以下である、熱交換器である。
【００１８】
この発明の熱交換器の第７の態様は、前記シート状の防水・防湿部材は、ヒートシールまたは接着剤による接着によって接合される、熱交換器である。
【００１９】
この発明の熱交換器の第８の態様は、前記第１の放熱部材が内部に位置し、前記第２の放熱部材が外部に位置するように筐体に取り付けられた、熱交換器である。
【発明の効果】
【００２０】
この発明の熱交換器によると、内周縁部および外周縁部を備えた、中抜きのシート状の防水・防湿部材を使用して、ヒートポンプの１つの面と接している放熱部材に内周縁部を接合し、ヒートポンプの他の面と接している別の金属板材に外周縁部を接合して、ヒートポンプを外気から遮断するので、シート状の防水・防湿部材は、水蒸気透過率が低く、長期的な防湿効果が得られる。
【００２１】
更に、この発明によると、フィルム状の防水・防湿部材を使用するので、素材の膨張、収縮がヒートシンクや熱交換器に与える応力が発生しない。更に、ヒートシール等によって封止することができるので、作業が容易でガスの発生もない。
【発明を実施するための最良の形態】
【００２２】
以下、この発明の熱交換器の態様を、図面を参照しながら詳細に説明する。
【００２３】
この発明の熱交換器の１つの態様は、金属板材および金属板材の一方の面に熱的に接続された複数の放熱フィンからなる放熱部材と、放熱部材の金属板材の他方の面に、一方の面が熱的に接続されるヒートポンプと、ヒートポンプの他方の面に熱的に接続される別の金属板材と、内周縁部および外周縁部を備えた、中抜きのシート状の防水・防湿部材であって、防水・防湿部材の内周縁部が金属板材の外周縁部に接合され、防水・防湿部材の外周縁部が別の金属板材に接合されて、ヒートポンプを外気から遮断する防水・防湿部材とを備えた熱交換器である。
【００２４】
図１は、この発明の熱交換器の１つの態様を説明する図である。図２から図４はその詳細を説明する分解図である。図１に示すように、ヒートシンク１は、放熱部材２と別の金属板材９、例えば、温調プレートとの間にヒートポンプを挟みこみ、防水・防湿部材６で囲んで、ヒートポンプを外気から遮断している。
【００２５】
即ち、金属板材３および金属板材３の一方の面に熱的に接続された複数の放熱フィン４からなる放熱部材２の他方の面に、ヒートポンプの一方の面を熱的に接続している。ヒートポンプの他方の面には別の金属板材９が熱的に接続されている。防水・防湿部材６は、内周縁部および外周縁部を備えた、中抜きのシート状である。防水・防湿部材の内周縁部が金属板材３の外周縁部に接合され、防水・防湿部材の外周縁部が別の金属板材９に接合されて、ヒートポンプを外気から遮断する。
【００２６】
図２は、防水・防湿部材、および、防水・防湿部材と金属部材の接合状態を説明する図である。図２（ａ）に示すように、防水・防湿部材６は内周縁部７および外周縁部８を備えた、中抜きのシート状の部材である。即ち、矩形のシート状部材の中央部を矩形に切り取って形成されたロの字形の部材で、ロの部分は概ね同一の幅を有している。
【００２７】
このようにして形成されたロの字形の内側部分が内周縁部７であり、ロの字形の外側部分が外周縁部８である。防水・防湿部材６は、少なくとも一層の高分子樹脂フィルムからなっている。高分子樹脂フィルムと高分子樹脂以外の異種材料との多層膜からなっていてもよい。また無機層を形成してもよい。上述したように多層化することによって、水蒸気透過率を低下させ、ガスバリア性を向上させることができる。
【００２８】
シート状の防水・防湿部材６は、水蒸気透過率が２０ｇ／ｍ２・２４ｈｒ以下であり、好ましくは、５ｇ／ｍ２・２４ｈｒ以下である。水蒸気透過率を５ｇ／ｍ２・２４ｈｒ以下にすることによって、長期的な信頼性が得られる。更に、シート状の防水・防湿部材６は、ヒートシールまたは接着剤で張り合わせが可能なものである。このようにヒートシール等によって接合すると、凹凸のない接合面が得られ、接合状態が良いので、製造工程において気泡の巻き込み等を生じることはなく、防水、防湿性能を低下させない。
【００２９】
更に、防水・防湿部材６は、上述した少なくとも一層の高分子樹脂フィルムからなっているので、環境や温度によって収縮、膨張が生じないので、熱接続性能を低下させることはない。ヒートポンプとしてサーモモジュールを用いた熱交換器の場合には、サーモモジュールの吸放熱面と熱接続材料、例えば熱伝導グリスを介して接するヒートシンクのベース部材が熱によって膨張、収縮しても、防水・防湿部材に応力が集中しない（応力緩和性が高い）ので、熱接続性能を低下させることはない。
【００３０】
なお、上述した防水・防湿部材６は、市販の部材が使用できる。例えば、東レ製の商品名トレファン（ベースフィルム：OPP（延伸ポリプロピレン）にアルミを蒸着させている）、三菱樹脂製の商品名テックバリア（ベースフィルム：PET（ポリエチレンテレフタレート）にシリカを蒸着させている）、東洋紡製の商品名エコシアール（ベースフィルム：ONY（２軸延伸ナイロン）にシリカ、アルミナを二次元蒸着させている）等がある。
【００３１】
図２（ｂ）は、放熱部材２の金属板材３である。金属板材３は熱伝導性に優れた金属、例えば、銅、アルミニウム、それらの合金等からなっている。図２（ｃ）は、図２（ａ）に示した中抜きのシート状の防水・防湿部材６を放熱部材２の金属板材３に接合した状態である。即ち、金属板材３の外周縁部に防水・防湿部材６の内周縁部７を合わせて、ヒートシール（熱圧着）等によって接合している。
【００３２】
図３は、金属板材の外周縁部に防水・防湿部材の内周縁部を接合した放熱部材を斜め上から見た図である。図３に示すように、金属板材３および金属板材３の一方の面に熱的に接続された複数の放熱フィン４からなる放熱部材２の金属板材３の他方の面の外周縁部に、防水・防湿部材６の内周縁部７が接合されている。この状態では、防水・防湿部材６の外周縁部８は、他の部材と接合されることなくそのままの状態である。
【００３３】
図４は、ヒートポンプを、温調プレート（別の金属板材９）と放熱部材２で挟み込んだ状態を説明する図である。図４に示すように、ヒートポンプ５の一方の面（図では下側）に、放熱部材２の金属板材３の外周縁部に中抜きのシート状の防水・防湿部材６の内周縁部を接合した状態で、金属部材３と熱的に接続している。ヒートポンプ５の他方の面（図では上側）に温調プレート９を熱的に接続している。
【００３４】
図４に示す状態で、中抜きのシート状の防水・防湿部材６の外周縁部を温調プレート９にヒートシール等で接合すると、ヒートポンプ５がシート状の防水・防湿部材６で外気から遮断した状態のヒートシンク１が得られる。即ち、図１に示したように、ヒートシンク１は、放熱部材２と別の金属板材９との間にヒートポンプ５を挟みこみ、防水・防湿部材６で周囲を接合して、ヒートポンプを外気から遮断している。
【００３５】
ヒートポンプの１つであるサーモモジュール（電子冷熱モジュール）は、例えば、交互に隣り合うように配置された複数対のｐ型およびｎ型熱電半導体素子と、複数対のｐ型およびｎ型熱電半導体素子に対応して形成され、それらが挿入される複数の孔部を備えた独立微細発泡体からなる基板と、基板の両端部に配置されて、複数対のｐ型およびｎ型熱電半導体素子がその上に形成される接合層を介して直列に電気的に連結される電気回路金属層とを備えている。
【００３６】
上述した独立微細発泡体の厚さがｐ型およびｎ型熱電半導体素子の高さと実質的に同一であり、ｐ型およびｎ型熱電半導体素子が独立微細発泡体および電気回路金属層によって密閉された構造を備えている。この発明のヒートシンクの１つの態様は、このようなサーモモジュールが上述したように外気から遮断されている。
【００３７】
次に、この発明の熱交換器について説明する。この発明の熱交換器の１つの態様は、第１の金属板材および第１の金属板材の一方の面に熱的に接続された複数の第１の放熱フィンからなる第１の放熱部材と、第１の金属板材の他方の面に、一方の面が熱的に接続されるヒートポンプと、第２の金属板材および第２の金属板材の一方の面に熱的に接続された複数の第２の放熱フィンからなり、ヒートポンプの他方の面に熱的に接続される第２の放熱部材と、内周縁部および外周縁部を有し、中抜きのシート状の第１の防水・防湿部材及び第２の防水・防湿部材とを備えている。
【００３８】
上述した第１の防水・防湿部材の内周縁部が第1の金属板材の外周縁部に接合され、第２の防水・防湿部材の内周縁部が第２の金属板材の外周縁部に接合され、第１の防水・防湿部材の外周縁部及び第２の防水・防湿部材の外周縁部が相互に接合されて、ヒートポンプを外気から遮断する熱交換器である。
【００３９】
図５は、この発明の熱交換器の１つの態様を説明する図である。図５に示すように、熱交換器１０は、２つの放熱部材１２、１７の間にヒートポンプを挟みこみ、放熱部材１２、１７の金属板材のそれぞれに防水・防湿部材１６、２０の内周縁部を接合し、防水・防湿部材１６、２０の外周縁部を相互に接合して、ヒートポンプを外気から遮断している。
【００４０】
図６（ａ）は、防水・防湿部材の内周縁部がそれぞれ金属板材に接合された放熱部材を説明する図である。図６（ａ）の上部に示すように、第１の放熱部材１２は、第１の金属板材１３および第１の金属板材１３の一方の面に熱的に接続された複数の第１の放熱フィン１４からなっている。第１の金属部材１３の他方の面の外周縁部には、中抜きのシート状の第１の防水・防湿部材１６の内周縁部がヒートシール等によって接合されている。
【００４１】
図６（ａ）の下部に示すように、第２の放熱部材１７は、第２の金属板材１８および第２の金属板材１８の一方の面に熱的に接続された複数の第２の放熱フィン１９からなっている。第２の金属部材１８の他方の面の外周縁部には、中抜きのシート状の第２の防水・防湿部材２０の内周縁部がヒートシール等によって接合されている。
【００４２】
図６（ｂ）は、図６（ａ）に示した第１の放熱部材１２と第２の放熱部材１７の間にヒートポンプを挟みこんだ状態を説明する図である。図６（ｂ）に示すように、ヒートポンプ１５の一方の面（図では上側）には、第１の放熱部材１２の第１の金属部材１３の放熱フィン１４と反対側の面が熱的に接続されている。ヒートポンプ１５の他方の面（図では下側）には、第２の放熱部材１７の第２の金属部材１８の放熱フィン１９と反対側の面が熱的に接続されている。
【００４３】
上述したように、第１の金属部材１３の外周縁部には、中抜きのシート状の第１の防水・防湿部材１６の内周縁部がヒートシール等によって接合されている。第２の金属部材１８の外周縁部には、中抜きのシート状の第２の防水・防湿部材２０の内周縁部がヒートシール等によって接合されている。図６（ｂ）に示すように、この状態では、第１の防水・防湿部材１６の外周縁部および第２の防水・防湿部材２０の外周縁部はそれぞれ未だ接合されていない。
【００４４】
次に、このように２つの放熱部材でヒートポンプを挟んだ状態で、第１の防水・防湿部材１６の外周縁部および第２の防水・防湿部材２０の外周縁部を相互に接合して、図５に示すように、ヒートポンプが外気から遮断された熱交換器が得られる。防水・防湿部材同士の接合は、接着、溶着による。
【００４５】
図７は、この発明の熱交換器の取り付け例を説明する図である。図７に示すように、筐体３０の壁面に熱交換器１０を取り付ける。図６を参照して説明したような、第１の放熱部材１２と第２の放熱部材１７の間にヒートポンプ１５を挟みこんだ状態で筐体３０の壁面に取り付ける。第１の防水・防湿部材１６の外周縁部および第２の防水・防湿部材２０の外周縁部は、それぞれ筐体の外側および内側に接合される。
【００４６】
図７に示す態様によれば、熱交換器１０は、筐体３０の内側および外側にそれぞれヒートシンクを備え、また、第１の防水・防湿部材１６および第2の防水・防湿部材２０がそれぞれ筐体３０に接合しているため、ヒートポンプ１５を外気から遮断しながら、筐体３０の内側の温度調節をすることができる。
【００４７】
図８は、熱交換器の電源端子および温度センサーなどの配線の取り出し方法を説明する図である。図８（ａ）は熱交換器の側面図、図８（ｂ）は熱交換器の平面図である。図８（ａ）および図８（ｂ）に示すように、ヒートポンプへの電源供給のための被覆のない平板状端子３１をヒートポンプの横方向に突き出して設け、端子部分の周りを、第１の防水・防湿部材１６の外周縁部および第２の防水・防湿部材２０の外周縁部によって気密に接合する。
【００４８】
図８に示す態様によれば、第１の防水・防湿部材１６と第２の防水・防湿部材２０とを接合しても、平板状端子３１を接合部分から取り出すことができる。更に、平板状端子３１を被覆のないものを使用することによって、被覆と平板状端子３１との間からの水分の透過を防止することができる。
【００４９】
図９は、熱交換器の電源端子および温度センサーなどの配線の他の取り出し方法を説明する図である。図９（ａ）は熱交換器の側面図、図９（ｂ）は熱交換器の平面図である。図９（ａ）および図９（ｂ）に示すように、ヒートポンプへの電源供給のための端子３２を第１の放熱板材１２または第２の放熱板材１７の金属部材１３、１８の端部に孔部を設け、熱交換器の外部に突き出す。端子は孔部の中に気密状態に設けられている。第１の防水・防湿部材１６の外周縁部および第２の防水・防湿部材２０の外周縁部は相互に接合されている。
【００５０】
図９に示す態様によれば、金属部材１３、１８の間は第１の防水・防湿部材１６と第２の防水・防湿部材２０とで密閉し、端子３２と孔部の間をシリコン等の（図示しない）充填材で密閉することができるため、ヒートポンプを確実に外気から遮断することができる。
【００５１】
図１０は、防水・防湿部材の貼り付け位置を説明する図である。図１０（ａ）に示す態様では、防水・防湿部材６は放熱部材の金属板材３の放熱フィン側の上面の外周部に配置されている。図１０（ｂ）は、図１０（ａ）に示す態様を斜め下から見た図である。図１０（ｂ）から明らかなように、放熱部材の金属板材３の放熱フィン側の上面の外周部に、防水・防湿部材６が貼り付けられている。
【００５２】
この発明によると、結露水によるヒートポンプの腐食や接触不良などの故障を防止し、長期的な信頼性が高く、熱接続性能を低下させることがなく、優れた放熱効率を有する熱交換器を提供することができる。
【図面の簡単な説明】
【００５３】
【図１】図１は、この発明のヒートシンクの１つの態様を説明する図である。
【図２】図２は、防水・防湿部材、および、防水・防湿部材と金属部材の接合状態を説明する図である。
【図３】図３は、金属板材の外周縁部に防水・防湿部材の内周縁部を接合した放熱部材を斜め上から見た図である。
【図４】図４は、ヒートポンプを、温調プレート（別の金属板材）と放熱部材で挟み込んだ状態を説明する図である。
【図５】図５は、この発明の熱交換器の１つの態様を説明する図である。
【図６】図６（ａ）は、防水・防湿部材の内周縁部がそれぞれ金属板材に接合された放熱部材を説明する図である。図６（ｂ）は、図６（ａ）に示した第１の放熱部材１２と第２の放熱部材１７の間にヒートポンプを挟みこんだ状態を説明する図である。
【図７】図７は、この発明の熱交換器の取り付け例を説明する図である。
【図８】図８は、ヒートポンプへの電源供給方法を説明する図である。図８（ａ）は熱交換器の側面図、図８（ｂ）は熱交換器の平面図である。
【図９】図９は、熱交換器の電源端子および温度センサーなどの配線の取り出し方法を説明する図である。図９（ａ）は熱交換器の側面図、図９（ｂ）は熱交換器の平面図である。
【図１０】図１０は、防水・防湿部材の貼り付け位置を説明する図である。
【図１１】図１１は、従来の熱交換器を説明する図である
【符号の説明】
【００５４】
１  ヒートシンク
２  放熱部材
３  金属部材
４  放熱フィン
５  ヒートポンプ
６  シート状の防水・防湿部材
７  内周縁部
８  外周縁部
９  別の金属板材
１０  熱交換器
１２  第１放熱部材
１３  第１金属部材
１４  第１の放熱フィン
１５  ヒートポンプ（サーモモジュール）
１６  第１のシート状の防水・防湿部材
１７  第２放熱部材
１８  第２金属部材
１９  第２の放熱フィン
２０  第２の防水・防湿部材
３０  筐体
３１  平板状端子
３２  端子
【図１】
2009206114.tif 000003
【図２】
2009206114.tif 000004
【図３】
2009206114.tif 000005
【図４】
2009206114.tif 000006
【図５】
2009206114.tif 000007
【図６】
2009206114.tif 000008
【図７】
2009206114.tif 000009
【図８】
2009206114.tif 000010
【図９】
2009206114.tif 000011
【図１０】
2009206114.tif 000012
【図１１】
2009206114.tif 000013